(57)【要約】      （修正有）【課題】組立状態での強度の低下を抑えつつ、フラップの突き合わせ部の意図しない開封や段積み状態での荷崩れを抑制できる箱用シートを提供する。【解決手段】箱型に組み立て可能な箱用シートであって、１枚のシートからなり、左右方向の一方側から他方側に連接され、組立時に四角筒状部を構成する第１側面パネル乃至第４側面パネル１〜４と、各側面パネルの上縁から延出する４つの蓋フラップ５〜８と、各側面パネルの下縁から延出する４つの底フラップ９〜１２とを備え、各側面パネルと蓋フラップ及び底フラップとの境界にそれぞれ折り曲げ容易線１４ａ、ｂが形成され、４つの蓋フラップ及び４つの底フラップの少なくともいずれか一方の内面の基端側に、折り曲げ容易線を幅方向の一端とし、各フラップの両側端を長手方向の両端とする帯状の肉薄部１５ａ、ｂが形成されている。【選択図】図１
0003211854.tif 000002
【実用新案登録請求の範囲】
【請求項１】
１枚のシートからなり、
左右方向の一方側から他方側に連接され、組立時に四角筒状部を構成する第１側面パネル、第２側面パネル、第３側面パネル及び第４側面パネルと、
上記第１側面パネル乃至第４側面パネルの上縁から延出する４つの蓋フラップと、
上記第１側面パネル乃至第４側面パネルの下縁から延出する４つの底フラップと
を備え、
箱型に組み立て可能な箱用シートであって、
上記第１側面パネル乃至第４側面パネルと上記蓋フラップ及び底フラップとの境界にそれぞれ折り曲げ容易線が形成されており、
上記４つの蓋フラップ及び４つの底フラップの少なくともいずれか一方の内面の基端側に上記折り曲げ容易線を幅方向の一端とし、各フラップの両側端を長手方向の両端とする帯状の肉薄部が形成されている箱用シート。
【請求項２】
上記肉薄部の幅方向の他端側にこの肉薄部が形成されるフラップの延出方向先端側に向けて徐々に厚さが大きくなる傾斜部を有する請求項１に記載の箱用シート。
【請求項３】
上記肉薄部の幅方向一端側の厚さが、この肉薄部が形成されるフラップ及びこのフラップが連接される側面パネルの境界に向けて徐々に小さくなる請求項１又は請求項２に記載の箱用シート。
【請求項４】
上記フラップの延出方向長さに対する上記肉薄部の幅の比が０．１以上０．４以下である請求項１、請求項２又は請求項３に記載の箱用シート。
【請求項５】
シート厚さに対する上記肉薄部の上記傾斜部以外の領域の平均厚さの比が０．３以上０．８以下である請求項１から請求項４のいずれか１項に記載の箱用シート。
【考案の詳細な説明】
【技術分野】
【０００１】
本考案は、箱用シートに関する。
【背景技術】
【０００２】
包装箱に組み立て可能な箱用シートとして、左右方向に連接され、組立時に四角筒状部を構成する４つの側面パネルと、４つの側面パネルの上縁から延出する蓋フラップと、４つの側面パネルの下縁から延出する底フラップとを有する段ボールシートが用いられている。この箱用シートは、４つの側面パネルによって四角筒状部を構成した状態で、対向する一対の側面パネルから延出する各一対の蓋内フラップ及び底内フラップを内側に折り曲げたうえ、対向する他対の側面パネルから延出する各一対の蓋外フラップ及び底外フラップを内側に折り曲げて先端同士を突き合わせることで包装箱に組み立てられる。
【０００３】
しかしながら、この包装箱は、蓋内フラップと蓋外フラップ、及び底内フラップと底外フラップとが干渉しやすい。そのため、この包装箱は、蓋外フラップ及び底外フラップが蓋内フラップ及び底内フラップの反力等により外側に膨れやすい。その結果、この包装箱は、蓋外フラップ先端同士の突き合わせ部及び底外フラップの先端同士の突き合わせ部が意図せず開封するおそれがある。また、この包装箱は、段積みした場合に蓋外フラップ及び底外フラップの膨れに起因して荷崩れを生じやすい。
【０００４】
このような問題に鑑みて、今日では、蓋外フラップの基端側に形成される折り曲げ容易線よりも蓋内フラップの基端側に形成される折り曲げ容易線の位置を低くし、かつ蓋外フラップの折り曲げ容易線の下側に折り曲げ強度を弱くした弱抗折部を設ける構成が発案されている（特開２００５−１４９６９号公報参照）。
【先行技術文献】
【特許文献】
【０００５】
【特許文献１】特開２００５−１４９６９号公報
【考案の概要】
【考案が解決しようとする課題】
【０００６】
しかしながら、上記公報に記載の包装用箱は、蓋外フラップの基端側に形成される折り曲げ容易線よりも蓋内フラップの基端側に形成される折り曲げ容易線の位置を低くしているので、例えばこの包装用箱の上側に他の包装用箱を積み上げた際に蓋外フラップの基端部に応力が集中しやすい。さらに、この包装用箱は、蓋外フラップの基端側に形成される折り曲げ容易線の下側に弱抗折部が設けられており、蓋外フラップの基端側の強度が弱められている。そのため、この包装用箱は、他の包装用箱が積み上げられた場合等に外蓋フラップの基端側の強度不足によって箱潰れを生じやすい。
【０００７】
本考案は、このような不都合に鑑みてなされたものであり、組立状態での強度の低下を抑えつつ、フラップの突き合わせ部の意図しない開封や段済み状態での荷崩れを抑制することができる箱用シートの提供を課題とする。
【課題を解決するための手段】
【０００８】
上記課題を解決するためになされた本考案に係る箱用シートは、１枚のシートからなり、左右方向の一方側から他方側に連接され、組立時に四角筒状部を構成する第１側面パネル、第２側面パネル、第３側面パネル及び第４側面パネルと、上記第１側面パネル乃至第４側面パネルの上縁から延出する４つの蓋フラップと、上記第１側面パネル乃至第４側面パネルの下縁から延出する４つの底フラップとを備え、箱型に組み立て可能な箱用シートであって、上記第１側面パネル乃至第４側面パネルと上記蓋フラップ及び底フラップとの境界にそれぞれ折り曲げ容易線が形成されており、上記４つの蓋フラップ及び４つの底フラップの少なくともいずれか一方の内面の基端側に上記折り曲げ容易線を幅方向の一端とし、各フラップの両側端を長手方向の両端とする帯状の肉薄部が形成されている。
【０００９】
当該箱用シートは、上記第１側面パネル乃至第４側面パネルと上記蓋フラップ及び底フラップとの境界にそれぞれ折り曲げ容易線が形成されており、これらの折り曲げ容易線が段違いに形成されていないので、組立状態での強度の低下を抑制することができる。また、当該箱用シートは、４つの蓋フラップ及び４つの底フラップの少なくともいずれか一方の内面の基端側に上記折り曲げ容易線を幅方向の一端とし、各フラップの両側端を長手方向の両端とする帯状の肉薄部が形成されているので、これらの肉薄部が形成された側のフラップを上下に重ねた場合におけるフラップ同士の干渉が弱められる。そのため、当該箱用シートは、組立状態におけるフラップの突き合わせ部の意図しない開封や段積み状態での荷崩れを抑制することができる。
【００１０】
上記肉薄部の幅方向の他端側にこの肉薄部が形成されるフラップの延出方向先端側に向けて徐々に厚さが大きくなる傾斜部を有するとよい。このように、上記肉薄部の幅方向の他端側にこの肉薄部が形成されるフラップの延出方向先端側に向けて徐々に厚さが大きくなる傾斜部を有することによって、組立状態で肉薄部がフラップの延出方向先端側の境界に沿って折れ曲がること抑制することができる。そのため、肉薄部の折れ曲がりに起因する強度の低下を抑制することができる。
【００１１】
上記肉薄部の幅方向一端側の厚さが、この肉薄部が形成されるフラップ及びこのフラップが連接される側面パネルの境界に向けて徐々に小さくなるとよい。このように、上記肉薄部の幅方向一端側の厚さが、この肉薄部が形成されるフラップ及びこのフラップが連接される側面パネルの境界に向けて徐々に小さくなることによって、組立状態において上記フラップ及び側面パネルの境界で的確に折り曲げることができ、これにより組み立てられる包装箱の形状を安定的に保つことができると共に、フラップ同士の干渉をより的確に抑制することができる。
【００１２】
上記フラップの延出方向長さに対する上記肉薄部の幅の比としては、０．１以上０．４以下が好ましい。このように、上記フラップの延出方向長さに対する上記肉薄部の幅の比が上記範囲内であることによって、フラップ同士の干渉を十分に抑制しつつ、肉薄部に起因する強度の低下を抑えることができる。
【００１３】
シート厚さに対する上記肉薄部の上記傾斜部以外の領域の平均厚さの比としては、０．３以上０．８以下が好ましい。このように、シート厚さに対する上記肉薄部の上記傾斜部以外の領域の平均厚さの比が上記範囲内であることによって、フラップ同士の干渉を十分に抑制しつつ、肉薄部に起因する強度の低下を抑えることができる。
【００１４】
なお、本考案において、「左右方向」とは、箱用シートを組み立ててなる包装箱の想定される一般的な使用態様における水平方向をいい、「上」及び「下」とは、想定される一般的な使用態様における上下を意味するが、上記包装箱の使用時の向きを制限することを企図するものではない。「内面」とは、箱用シートを組み立ててなる包装箱における内側の面を意味する。
【考案の効果】
【００１５】
以上説明したように、本考案に係る箱用シートは、組立状態での強度の低下を抑えつつ、フラップの突き合わせ部の意図しない開封や段積み状態での荷崩れを抑制することができる。
【図面の簡単な説明】
【００１６】
【図１】本考案の一実施形態に係る箱用シートを示す模式的平面図である。
【図２】図１の箱用シートのフラップの基端側部分を示す模式的断面図である。
【図３】図１の箱用シートを組み立ててなる包装箱を示す模式的斜視図である。
【図４】図３の包装箱のＡ−Ａ線部分断面図である。
【考案を実施するための形態】
【００１７】
以下、適宜図面を参照しつつ、本考案の実施の形態を詳説する。
【００１８】
［第一実施形態］
＜箱用シート＞
図１の箱用シートは、１枚のシートからなる。当該箱用シートは、左右方向の一方側から他方側に連接され、組立時に四角筒状部を構成する第１側面パネル１、第２側面パネル２、第３側面パネル３及び第４側面パネル４と、第１側面パネル１乃至第４側面パネル４の上縁から延出する４つの蓋フラップ（第１蓋外フラップ５、第１蓋内フラップ６、第２蓋外フラップ７及び第２蓋内フラップ８）と、第１側面パネル１乃至第４側面パネル４の下縁から延出する４つの底フラップ（第１底外フラップ９、第１底内フラップ１０、第２底外フラップ１１及び第２底内フラップ１２）とを備える。また、当該箱用シートは、第１側面パネル１の第２側面パネル２と連接される側と反対側の端縁に連接される糊代部１３を備える。当該箱用シートは、箱型に組み立て可能に構成されており、具体的にはＡ式（ミカン箱タイプ）の図３の包装箱２１に組み立て可能に構成されている。
【００１９】
当該箱用シートは、第１側面パネル１乃至第４側面パネルと４つの蓋フラップ５〜８の境界、及び第１側面パネル１乃至第４側面パネル４と４つの底フラップ９〜１２との境界にそれぞれ折り曲げ容易線１４ａ，１４ｂが形成されている。第１側面パネル１乃至第４側面パネル４と４つの蓋フラップ５〜８との境界に形成される４つの折り曲げ容易線１４ａは、全体として直線状に配設されている（つまり、４つの折り曲げ容易線１４ａは段違いに配設されていない）。また、第１側面パネル１乃至第４側面パネル４と４つの底フラップ９〜１２との境界に形成される４つの折り曲げ容易線１４ｂは、全体として直線状に配設されている（つまり、４つの折り曲げ容易線１４ｂは段違いに配設されていない）。なお、図１において、太い実線はシートを切断して形成されるエッジを示し、細い実線はシートに筋押しして形成される罫線を示す。
【００２０】
当該箱用シートに用いられるシートとしては、当該箱用シートを組み立ててなる包装箱２１の形状を維持できる程度の強度を有する限り特に限定されるものではなく、例えば段ボールシート、ボール紙等の紙製シート、合成樹脂製シート、紙製シートと合成樹脂製シートとの積層シート等が挙げられる。中でも、加工性、衝撃吸収性、取扱性、リサイクル性、経済性等の点から紙製シートが好ましく、段ボールシートが特に好ましい。当該箱用シートを形成する段ボールとしては、原紙を波形状に形成した中芯をライナーに貼り合わせたものであって、例えば波形状に形成された中芯を１枚のライナーに貼り合わせた片面段ボールシート、片面段ボールシートの段頂にさらにライナーを貼り合わせた両面段ボールシート、両面段ボールシートの片側に片面段ボールシートの段頂を貼り合わせた複両面段ボールシート、複両面段ボールシートの片側に片面段ボールシートの段頂をさらに貼り合わせた複々両面段ボールシート等が挙げられる。これらの中でも、加工性、経済性、耐久性等の点から両面段ボールシートが好ましい。なお、当該箱用シートに用いられるシートの平均厚さは、必要に応じて適宜設定可能であり、例えば１．５ｍｍ以上８ｍｍ以下とすることができ、上記シートが両面段ボールシートである場合、このシートの平均厚さは、例えば５ｍｍとすることができる。
【００２１】
（側面パネル）
第１側面パネル１乃至第４側面パネル４は各々略方形状に形成されている。第１側面パネル１及び第３側面パネル３は略同形状に形成されている。また、第２側面パネル２及び第４側面パネル４は略同形状に形成されている。第１側面パネル１乃至第４側面パネル４の上下方向長さは等しい。また、第１側面パネル１及び第３側面パネル３の左右方向長さは第２側面パネル２及び第４側面パネル４の左右方向長さよりも大きい。つまり、当該箱用シートは、第１側面パネル１及び第３側面パネル３が一対の長さ面パネルとして構成され、第２側面パネル２及び第４側面パネル４が一対の幅面パネルとして構成されている。
【００２２】
第１側面パネル１乃至第４側面パネル４は、まず第１側面パネル１を第２側面パネル２の内面に折り重ね、続いて第４側面パネル４を第３側面パネル３の内面に折り重ね、糊代部１３を第４側面パネル４の内面に貼着することで無端状に接続される。第１側面パネル１乃至第４側面パネル４は、無端状に接続された状態で、第１側面パネル１及び第３側面パネル３が対向し、かつ第２側面パネル２及び第４側面パネル４が対向するように広げられることで四角筒状部を構成する。なお、第４側面パネル４への糊代部１３の貼着は、例えば接着剤、ステープラー等を用いて行うことができる。当該箱用シートは、通常、第１側面パネル１乃至第４側面パネル４が無端状に接続され、かつ第１側面パネル１の内面が第２側面パネル２の内面に密着し、第４側面パネル４の内面が第３側面パネル３の内面に密着した状態でユーザに提供される。
【００２３】
第１側面パネル１乃至第４側面パネル４が四角筒状部を構成した状態から包装箱２１に組み立てる手順について説明する。まず、第１側面パネル１乃至第４側面パネル４によって四角筒状部が構成された状態で、一対の底内フラップ１０，１２を内側に折り曲げ、続いて一対の底外フラップ９，１１を内側に折り曲げて先端同士を突き合わせることで底部を形成する。さらに、一対の蓋内フラップ６，８を内側に折り曲げ、続いて一対の蓋外フラップ５，７を内側に折り曲げて先端同士を突き合わせることで蓋部を形成する。これにより、図３の包装箱２１が組み立てられる。なお、図示していないが、包装箱２１は、一般に一対の蓋外フラップ５，７の先端同士の合わせ目及び一対の底外フラップ９，１１の先端同士の合わせ目に沿って粘着テープを貼着することや、一対の蓋外フラップ５，７及び一対の蓋内フラップ６，８間、並びに一対の底外フラップ９，１１及び一対の底内フラップ１０，１２間を接着剤で貼り合わせることによって封函状態が保持される。
【００２４】
当該箱用シートは、４つの蓋フラップ５〜８の内面の延出方向基端側及び４つの底フラップ９〜１２の内面の延出方向基端側に、折り曲げ容易線１４ａ，１４ｂを幅方向の一端とし、各フラップ５〜１２の両側端を長手方向の両端とする帯状の肉薄部１５ａ，１５ｂが形成されている。以下、肉薄部１５ａ，１５ｂについて説明する。なお、４つの蓋フラップ５〜８に形成される肉薄部１５ａ及び４つの底フラップ９〜１２に形成される肉薄部１５ｂは、形成箇所が異なる以外、具体的形状は同一である。そのため、以下では４つの蓋フラップ５〜８に形成される肉薄部１５ａについてのみ説明する。また、４つの蓋フラップ５〜８に形成される肉薄部１５ａは、第１側面パネル１乃至第４側面パネル４の左右方向長さの相違に基づいて、長手方向長さが異なる以外は同様に形成される。そのため、図２では、第１蓋外フラップ５に形成される肉薄部１５ａについてのみ図示している。
【００２５】
（肉薄部）
肉薄部１５ａは、左右方向を長手方向とする矩形状に形成されている。また、肉薄部１５ａは、全領域において蓋フラップ５〜８の肉薄部１５ａ以外の領域よりも厚さが小さい。肉薄部１５ａは、包装箱２１の組立状態において一対の蓋外フラップ５，７及び一対の蓋内フラップ６，８が干渉するのを抑制する。具体的には、当該箱用シートは、図４に示すように、一対の蓋内フラップ６，８の基端側の内面、及び一対の蓋外フラップ５，７の基端側の内面が肉薄部１５ａによって陥没している。そのため、包装箱２１において一対の蓋外フラップ５，７及び一対の外内フラップ６，８が干渉しやすい一対の蓋内フラップ６，８の第２側面パネル２及び第４側面パネル４から連続する部分、特に第２側面パネル２及び第４側面パネル４の角部から連続する部分における一対の蓋外フラップ５，７及び一対の蓋内フラップ６，８の干渉が抑制される。より詳細に説明すると、当該箱用シートは、一対の蓋内フラップ６，８の基端側の内面が陥没しているので、組立状態における一対の蓋内フラップ６，８の一対の蓋外フラップ５，７との重なり合いに起因する反力が弱められる。また、肉薄部１５ａが一対の蓋外フラップ５，７と、第１側面パネル１及び第３側面パネル３との境界から連続して形成されているため、組立状態で一対の蓋外フラップ５，７の内面と一対の蓋内フラップ６，８の外面とが一対の蓋外フラップ５，７の肉薄部１５ａよりも先端側で当接し、一対の蓋外フラップ５，の基端側では当接し難い。そのため、当該箱用シートは、組立状態で一対の蓋内フラップ６，８の反力に起因して一対の蓋外フラップ５，７の基端側が外側に膨れることを抑制することができる。
【００２６】
肉薄部１５ａは、図２に示すように、幅方向の他端側（第１蓋外フラップ５の延出方向先端側）に、第１蓋外フラップ５の延出方向先端側に向けて徐々に厚さが大きくなる傾斜部１６ａを有する。また、肉薄部１５ａは、折り曲げ容易線１４ａから連続する一端側の端縁部を除き、傾斜部１６ａ以外の領域が厚さの略等しい平坦部１７ａとして構成されている。当該箱用シートは、傾斜部１６ａを有することによって、組立状態で肉薄部１５ａが第１蓋外フラップ５の延出方向先端側の境界に沿って折れ曲がることを抑制することができる。そのため、当該箱用シートは、肉薄部１５ａの折れ曲がりに起因する強度の低下を抑制することができる。
【００２７】
肉薄部１５ａの幅方向の一端側の厚さは蓋フラップ５〜８及び側面パネル１〜４の境界に向けて徐々に小さくなっている。当該箱用シートは、このように肉薄部１５ａの幅方向の一端側の厚さが蓋フラップ５〜８及び側面パネル１〜４の境界に向けて徐々に小さくなることで、組立状態において側面パネル１〜４及び蓋フラップ５〜８の境界で的確に折り曲げることができ、これにより包装箱２１の形状を安定的に保つことができると共に、一対の蓋外フラップ５，７及び一対の蓋内フラップ６，８の干渉をより的確に抑制することができる。
【００２８】
蓋フラップ５〜８の延出方向長さに対する肉薄部１５ａの幅の比の下限としては、０．１０が好ましく、０．１５がより好ましい。一方、蓋フラップ５〜８の延出方向長さに対する肉薄部１５ａの幅の比の上限としては、０．４０が好ましく、０．３５がより好ましい。上記比が上記下限に満たないと、組立状態で一対の蓋外フラップ５，７及び一対の蓋内フラップ６，８の干渉を十分に抑制することができないおそれがある。逆に、上記比が上記上限を超えると、肉薄部１５ａの幅が不要に大きくなり、蓋フラップ５〜８の強度が低くなるおそれがある。
【００２９】
シート厚さＴ１に対する肉薄部１５ａの傾斜部１６ａ以外の領域の平均厚さＴ２の比の下限としては、０．３が好ましく、０．４がより好ましい。一方、シート厚さＴ１に対する肉薄部１５ａの傾斜部１６ａ以外の領域の平均厚さＴ２の比の上限としては、０．８が好ましく、０．７がより好ましい。上記平均厚さの比が上記下限に満たないと、肉薄部１５ａの厚さが不要に小さくなり、蓋フラップ５〜８の強度が低くなるおそれがある。逆に、上記平均厚さの比が上記上限を超えると、組立状態で一対の蓋外フラップ５，７及び一対の蓋内フラップ６，８の干渉を十分に抑制することができないおそれがある。
【００３０】
肉薄部１５ａの幅Ｌは、当該箱用シートのサイズに応じて適宜設定可能である。肉薄部１５ａの幅Ｌの下限としては、例えば２ｍｍが好ましく、４ｍｍがより好ましい。一方、肉薄部１５ａの幅Ｌの上限としては、例えば７０ｍｍが好ましく、５０ｍｍがより好ましい。肉薄部１５ａの幅Ｌが上記下限より小さいと、組立状態で一対の蓋外フラップ５，７及び一対の蓋内フラップ６，８の干渉を十分に抑制することができないおそれがある。逆に、肉薄部１５ａの幅Ｌが上記上限を超えると、蓋フラップ５〜８の強度が不要に低くなるおそれがある。
【００３１】
平坦部１７ａの幅Ｌ１に対する傾斜部１６ａの幅Ｌ２の比の下限としては、０．２が好ましく、０．３が好ましく、０．５がより好ましい。一方、平坦部１７ａの幅Ｌ１に対する傾斜部１６ａの幅Ｌ２の比の上限としては、０．８が好ましく、０．７がより好ましい。上記比が上記下限に満たないと、シートの平面方向に対する傾斜部１６ａの傾斜角が大きくなり過ぎて蓋フラップ５〜８が傾斜部１６ａで折れ曲がりやすくなるおそれがある。逆に、上記比が上記上限を超えると、傾斜部１５ａの幅が不要に大きくなり、蓋フラップ５〜８の強度が不十分となるおそれがある。
【００３２】
シートの平面方向に対する傾斜部１６ａの傾斜角の下限としては、１°が好ましく、３°がより好ましい。一方、シートの平面方向に対する傾斜部１６ａの傾斜角の上限としては、２０°が好ましく、１０°がより好ましい。上記傾斜角が上記下限より小さいと、傾斜部１６ａの幅が不要に大きくなり、蓋フラップ５〜８の強度が不十分となるおそれがある。逆に、上記傾斜角が上記上限を超えると、蓋フラップ５〜８が傾斜部１６ａで折れ曲がりやすくなるおそれがある。
【００３３】
＜利点＞
当該箱用シートは、第１側面パネル１乃至第４側面パネル４と蓋フラップ５〜８及び底フラップ９〜１２との境界にそれぞれ折り曲げ容易線１４ａ，１４ｂが形成されており、これらの折り曲げ容易線１４ａ，１４ｂが段違いに形成されていないので、組立状態での強度の低下を抑制することができる。また、当該箱用シートは、４つの蓋フラップ５〜８及び４つの底フラップ９〜１２の内面の基端側に折り曲げ容易線１４ａ，１４ｂを幅方向の一端とし、各フラップ５〜１２の両側端を長手方向の両端とする帯状の肉薄部１５ａ，１５ｂが形成されているので、フラップ５〜１２を上下に重ねた場合におけるフラップ５〜１２同士の干渉が弱められる。そのため、当該箱用シートは、組立状態におけるフラップ５〜１２の突き合わせ部の意図しない開封を抑制することができる。
【００３４】
当該箱用シートは、フラップ５〜１２を上下に重ねた状態でのフラップ５〜１２同士の干渉が抑制されるので、組立状態で蓋部及び底部の外面を水平状態に保ちやすい。そのため、当該箱用シートは、包装箱２１を段積みして用いる場合の安定性に優れる。また、当該箱用シートは、フラップ５〜１２を上下に重ねた状態におけるフラップ５〜１２同士の干渉が抑制されるので、比較的弱い力で容易に蓋部及び底部を形成することができる。さらに、当該箱用シートは、４つの蓋フラップ５〜８及び４つの底フラップ９〜１２の内面が陥没しており、これらのフラップ５〜１２の外面が陥没していないので、組立状態における見栄えの低下を防止することができる。
【００３５】
［その他の実施形態］
なお、本考案に係る箱用シートは、上記態様の他、種々の変更、改良を施した態様で実施することができる。例えば当該箱用シートは、４つの蓋フラップ及び４つの底フラップのいずれか一方に上述の肉薄部が形成されていればよい。
【００３６】
肉薄部は、フラップの延出方向先端側に上述の傾斜部を有することが好ましいが、この傾斜部は必ずしも設けられなくてもよい。また、上記肉薄部は、側面パネル側の厚さが、フラップ及び側面パネルの境界に向けて徐々に小さくなることが好ましいが、例えば折り曲げ容易線の底部と肉薄部の平坦部とが同一厚さに形成されていてもよい。
【００３７】
４つの蓋フラップに形成される肉薄部及び４つの底フラップに形成される肉薄部の幅は必ずしも全て同一である必要はない。当該箱用シートは、例えば一対の蓋外フラップ及び一対の底外フラップに設けられる肉薄部の幅を一対の蓋内フラップ及び一対の底内フラップに設けられる肉薄部の幅よりも大きくしてもよい。
【産業上の利用可能性】
【００３８】
以上のように、本考案の箱用シートは、組立状態での強度の低下を抑えつつ、フラップの突き合わせ部の意図しない開封や段積み状態での荷崩れを抑制することができるので、物品の保管用、運搬用等の箱用シートとして適している。
【符号の説明】
【００３９】
１  第１側面パネル
２  第２側面パネル
３  第３側面パネル
４  第４側面パネル
５  第１蓋外フラップ
６  第１蓋内フラップ
７  第２蓋外フラップ
８  第２蓋内フラップ
９  第１底外フラップ
１０  第１底内フラップ
１１  第２底外フラップ
１２  第２底内フラップ
１３  糊代部
１４ａ，１４ｂ  折り曲げ容易線
１５ａ，１５ｂ  肉薄部
１６ａ  傾斜部
１７ａ  平坦部
２１  包装箱
【図１】
0003211854.tif 000003
【図２】
0003211854.tif 000004
【図３】
0003211854.tif 000005
【図４】
0003211854.tif 000006
【手続補正書】
【提出日】平成29年6月6日(2017.6.6)
【手続補正１】
【補正対象書類名】実用新案登録請求の範囲
【補正対象項目名】全文
【補正方法】変更
【補正の内容】
【実用新案登録請求の範囲】
【請求項１】
１枚のシートからなり、
左右方向の一方側から他方側に連接され、組立時に四角筒状部を構成する第１側面パネル、第２側面パネル、第３側面パネル及び第４側面パネルと、
上記第１側面パネル乃至第４側面パネルの上縁から延出する４つの蓋フラップと、
上記第１側面パネル乃至第４側面パネルの下縁から延出する４つの底フラップと
を備え、
箱型に組み立て可能な箱用シートであって、
上記第１側面パネル乃至第４側面パネルと上記蓋フラップ及び底フラップとの境界にそれぞれ折り曲げ容易線が形成されており、
上記４つの蓋フラップ及び４つの底フラップの少なくともいずれか一方の内面の基端側に上記折り曲げ容易線を幅方向の一端とし、各フラップの両側端を長手方向の両端とする帯状の肉薄部が形成されている箱用シート。
【請求項２】
上記肉薄部の幅方向の他端側にこの肉薄部が形成されるフラップの延出方向先端側に向けて徐々に厚さが大きくなる傾斜部を有する請求項１に記載の箱用シート。
【請求項３】
上記肉薄部の幅方向一端側の厚さが、この肉薄部が形成されるフラップ及びこのフラップが連接される側面パネルの境界に向けて徐々に小さくなる請求項１又は請求項２に記載の箱用シート。
【請求項４】
上記フラップの延出方向長さに対する上記肉薄部の幅の比が０．１以上０．４以下である請求項１、請求項２又は請求項３に記載の箱用シート。
【請求項５】
シート厚さに対する上記肉薄部の上記傾斜部以外の領域の平均厚さの比が０．３以上０．８以下である請求項２に記載の箱用シート。